(57)【要約】【課題】筐体のコストを低減しつつ強度を高めた照明器具を提供する。【解決手段】実施形態の照明器具は、４つの板部を有し、長手方向の両端が開口された角筒形状をなし、４つの板部のうち一つが透光部で残りが非透光部となるように一体形成された樹脂からなる押出成形体である筐体であって、前記４つの板部のうち対向する２つの板部の内壁に凹部が形成された筐体と、前記凹部に挿入されて長手方向に延在する基板と、前記基板上に前記透光部に光を入射させるように実装された発光素子とを有する光源ユニットと、を備えている。【選択図】図３
2013197081.tif 000002
【特許請求の範囲】
【請求項１】
長手方向の両端が開口された筒形状をなし、一部が透光部で残りが非透光部となるように一体形成された樹脂からなる押出成形体である筐体と、
前記筐体内で長手方向に延在するように設けられた基板と、前記透光部に光を入射させるように前記基板上に実装された発光素子とを有する光源ユニットと、
を備えた照明器具。
【請求項２】
４つの板部を有し、長手方向の両端が開口された角筒形状をなし、４つの板部のうち一つが透光部で残りが非透光部となるように一体形成された樹脂からなる押出成形体であって、前記４つの板部のうち対向する２つの板部に凹部が形成された筐体と、
前記凹部に挿入されて長手方向に延在する基板と、前記透光部に光を入射させるように前記基板上に実装された発光素子とを有する光源ユニットと、
前記筐体の内部に設けられ、前記４つの板部および基板のうち少なくとも対向する２つの板の内壁に当接した補強板と、
を備えた照明器具。
【請求項３】
前記補強板は、前記光源ユニットと電気的に接続された電気配線を、前記補強板における一方の面側から他方の面側に通す配線口を有する請求項２記載の照明器具。
【請求項４】
前記筐体内に設けられ、前記光源ユニットと電気的に接続された電源ユニットをさらに備え、
前記補強板は、前記電源ユニットと、前記筐体の端部開口との間に設けられている請求項１〜３のいずれか１つに記載の照明器具。
【請求項５】
前記光源ユニットの基板は、前記凹部が形成された板部上に設けられている請求項１〜４のいずれか１つに記載の照明器具。
【発明の詳細な説明】
【技術分野】
【０００１】
本発明の実施形態は、例えばＬＥＤ（Light Emitting Diode）などの発光素子を光源に用いた照明器具に関する。
【背景技術】
【０００２】
例えば、室内の壁と天井とのコーナー付近に設けられ、主に壁を照らして間接照明効果を与えるライン照明器具がある。そのようなライン照明器具は細長く形成されることから、一般的にはアルミニウム等の押出成形体により構成されている。このような成形体は金属であるから、強度的には十分であるが、より安価にすることが求められる。
【先行技術文献】
【特許文献】
【０００３】
【特許文献１】特開２０１０−１１８２７７号公報
【発明の概要】
【発明が解決しようとする課題】
【０００４】
筐体のコストを低減しつつ強度を高めた照明器具を提供する。
【課題を解決するための手段】
【０００５】
実施形態の照明器具は、４つの板部を有し、長手方向の両端が開口された角筒形状をなし、４つの板部のうち一つが透光部で残りが非透光部となるように一体形成された樹脂からなる押出成形体であって、前記４つの板部のうち対向する２つの板部に凹部が形成された筐体と、前記凹部に挿入されて長手方向に延在する基板と、前記透光部に光を入射させるように前記基板上に実装された発光素子とを有する光源ユニットと、を備えている。
【発明の効果】
【０００６】
本発明によれば、筐体は樹脂製で透光部と非透光部の一体成型の筒状であり、かつ筒状内部に発光素子が搭載された基板で橋渡しされ筐体の強度を補強するため、筐体のコストを低減しつつ強度を高めた照明器具を実現できる。
【図面の簡単な説明】
【０００７】
【図１】実施形態の照明器具１の外観斜視図。
【図２】図１におけるＡ−Ａ断面に対応する拡大斜視図。
【図３】照明器具１における端部開口に対して平行な断面図。
【発明を実施するための形態】
【０００８】
以下、図面を参照し、実施形態について説明する。なお、各図面中、同じ要素には同じ符号を付している。
【０００９】
図１は、実施形態の照明器具１の外観斜視図である。
【００１０】
照明器具１の外観は、筐体１０、一対の端部カバー５０によって構成され、全体として角筒形状に形成されている。
【００１１】
図２は、図１におけるＡ−Ａ断面に対応する拡大斜視図である。なお、図２においては、図１に示す端部カバー５０の図示を省略している。  
【００１２】
図３（ａ）は、図２における補強板３０よりも手前側の横断面図に対応する。  
【００１３】
図３（ｂ）は、図２における補強板３０を取り外した状態の横断面図に対応する。
【００１４】
筐体１０、透光カバー４０および一対の端部カバー５０によって囲まれた空間内には、光源ユニット６０、電源ユニット７０および補強板３０が内蔵されている。
まず、筐体１０について説明する。
【００１５】
図３は、筐体１０の端部開口に対して平行な横断面図である。
【００１６】
筐体１０は、一体に設けられた４つの板部（底板部１１、一対の側板部１２、１３および透光部４０）を有し、長手方向の両端が開口された角筒形状に形成されている。
【００１７】
開口の端部は筒軸に直角に切断された状態が望ましい。なぜならば、量産をする場合、どの筐体を見ても同一形状であるためには、直角に切断するべきであるからである。
【００１８】
しかし、場合によっては、斜めに切断されていてもよい。すなわち、筒軸に対して斜めに切断すると、連続して生産された２本の筐体は、一方を上下逆転させれば、同一形状となるからである。
【００１９】
筐体は、円筒状、楕円筒状、四角以外の多角形であってもよい。また筐体の一部に長手方向に連続した凹部が形成されていてもよい。しかし、環状でないとすれば、強度的に補強手段が必要となる場合がある。補強手段としては、後述する仕切り板のほか、筐体内部に強度的な梁を形成するものであればよい。
【００２０】
底板部１１と透光部４０とは互いに平行に対向し、側板部１２と側板部１３とは互いに平行に対向している。底板部１１及び透光部４０に対して、側板部１２及び１３は垂直である。
【００２１】
筐体１０は、例えばポリカーボネートの樹脂材料の押出成形体である。筐体１０は、透光部４０を透明なポリカーボネート、それ以外の非透光部を白色等に着色されたポリカーボネートになっていて、押出成形体時に一体化するように成形されている。
【００２２】
本実施例において、非透光部は、点灯装置、配線などの筐体の内蔵物を隠す効果がある。なお、非透光であってもよいということであるから、強度を増すための添加物を混入すれば、全体的は機械的な強度が十分な、筐体が提供できる。
【００２３】
そもそも、筒状の筐体を構成するうえで、透光部と非透光部を別体に製造しておき、勘合等によって組み立てる場合に比較すると、安価であり、機械的強度も増すことができる。なぜならば、射出一体成型であれば、成形前の段階で樹脂材料を２種用意しておき、射出時に透光部と非透光部とが明確に分かれるように一体的に射出することができるからである。  境界部は、透光部と非透光部の材料が混合されていてもよいが、明確に境界面が形成されるように製造することが望ましい。明確に境界面が形成できれば、必要な投光開口が得られやすく、照明設計上有利である。
【００２４】
また、境界面を銀色にすることもできる。すなわち、着色に銀色の粉末を混入することで、非透光部および境界を銀色にすることができる。こうすることによって、境界部分に入射した光を反射させることが可能となり、照明効率が向上する。境界の位置と形状は、できればＬＥＤからの光を、ＬＥＤの直射光が透光部から出力される方向に平行または集光反射できる位置にパラボラ状に形成できればよいが、単に前方に反射するように平面状に形成されたものであってもよい。
【００２５】
本実施例では、射出成形で一体に筐体が形成できるので、上述したように別体に予め製造した部材を結合するために別途接着剤等を使用する必要がなく、透光部と非透光部とは、熱と圧力によって、成形時に結合できているので、その構造は強固である。
【００２６】
図３に示す実施形態では、例えば透光部４０の両端内面に長手方向（図３において紙面を貫く方向）のすべてにわたって連続して延びる一対の凹部１５が形成されている。
【００２７】
１４は、この凹部１５に挿入される光源ユニット基板である。この光源ユニット基板１４は、後述するＬＥＤ基板６１を配置する。
【００２８】
底板部１１の内壁には、長手方向（図３において紙面を貫く方向）に連続して延びる凹形状の溝１８が形成されている。光源ユニット基板１４の下面には、溝１８に対向する部分に長手方向に連続して延びる凹形状の溝１９が形成されている。側板部１２の内壁には２つの凹形状の溝１６及び１７が形成され、溝１６及び１７は長手方向に連続して延びている。
【００２９】
図３（ａ）に示すように、光源ユニット基板１４にはＬＥＤ基板６１が配置され、光源ユニット６０を構成している。
【００３０】
光源ユニット６０は、光源ユニット基板１４、ＬＥＤ基板６１と発光素子６２とを有する。ＬＥＤ基板６１には配線８２が形成され、発光素子６２はＬＥＤ基板６１上に実装されて配線８２と電気的に接続されている。
【００３１】
発光素子６２は、例えば、発光ダイオード（Light Emitting Diode：ＬＥＤ）である。ＬＥＤの活性層の材料として、例えば窒化ガリウム（ＧａＮ）系化合物半導体を用いると、波長５００ナノメータ以下の短波長光が得られる。ただし、活性層の材料は、窒化ガリウム系化合物半導体に限られるものではない。
【００３２】
また、発光素子６２としては、ＬＥＤのほかにも、例えば、有機発光ダイオード（Organic Light Emitting Diode：ＯＬＥＤ）、無機エレクトロルミネッセンス（Inorganic ElectroLuminescence）発光素子、有機エレクトロルミネッセンス（Organic ElectroLuminescence）発光素子、あるいはその他の電界発光型の発光素子などを用いることができる。
【００３３】
実施形態においては、例えば、青色光を発光するＬＥＤと、その青色光（励起光）を吸収して黄色光に変換する蛍光体を含む蛍光体層との組み合わせにより、発光素子６２は、青色光と黄色光との混合色として白色や電球色などの光を放出する。
【００３４】
ＬＥＤ基板６１は、筐体１０の長手方向に光源ユニット基板１４上に延在し、その長手方向に沿って複数の発光素子６２が実装されている。１つの光源ユニット基板１４と、１つのＬＥＤ基板６１と、そのＬＥＤ基板６１上に搭載された複数の発光素子６２とを１つのユニット単位として、複数（例えば図４では２つ）の光源ユニット６０が、筐体１０の長手方向に沿って配列されている。なお、１つの筐体１０内に内蔵される光源ユニット６０の数は２つに限らず任意である。
【００３５】
ＬＥＤ基板６１は光源ユニット基板１４に対して例えばネジ止めされている。発光素子６２は、基板６１における天板部１４側の裏面の反対側の面上に実装されている。
【００３６】
ＬＥＤ基板６１上には、光源ユニット６０を覆うように透光部４０が位置する。透光部４０は、発光素子６２から放出される光が透過するが、透明でなくてもよく、光拡散性を兼ね備えていてもよい。
【００３７】
透光部４０は、光源ユニット６０に対して空間をあけて対向する主面部４２と、主面部４２に対して直角に一体に設けられた一対の側面部４３とを有し、主面部４２及び側面部４３は、長手方向に延び、筐体１０の一部をなしている。
【００３８】
透光部４０の側面部４３の下端には、射出成形により、境界が存在し、境界の前後で明確に透光度が異なっていて、透光部４０以外は白色の非透光部である。一対の側面部４３には凹部１５が形成され、光源ユニット基板１４は、凹部１５に係合することで、筐体１０に対して固定される。発光素子６２は、筐体１０の透光部４２に覆われた空間内に存在している。
【００３９】
筐体１０内には、図３（ｂ）に示すように電源ユニット７０も内蔵されている。電源ユニット７０は、配線基板７１と、配線基板７１上に実装された回路部品７２とを有する。
【００４０】
電源ユニット７０は、凹部１５を通される図２に示す電気配線８２を介して、光源ユニット６０と電気的に接続され、発光素子６２に電力を供給し、発光素子６２を点灯制御する。
【００４１】
電源ユニット７０は、配線基板７１を、筐体１０の側板部１２及び１３に対して平行にした状態で筐体１０内に内蔵されている。配線基板７１は、図２に示すように、筐体１０の長手方向に延在している。配線基板７１の短手方向（幅方向）の両端部は、図３（ｂ）に示すように、筐体１０の内壁に形成された溝１８、１９に差し込まれている。これにより、電源ユニット７０は、図３（ｂ）において横方向の移動が規制され、筐体１０に対して位置決めされている。
【００４２】
筐体１０の長手方向の両端部には、図１に示すように、一対の端部カバー５０が設けられている。端部カバー５０は、筐体１０における長手方向の端部開口、および透光カバー４０における長手方向の端部開口を閉塞している。
【００４３】
３０は、補強板で、金属または樹脂材料からなる略四角い板状に形成されている。上端部には上方に突出する突起３３が、下端部には下方に突出する突起３４が、左端部には２つの突起３１、３２が一体に設けられている。突起３３及び３４は、横方向に位置が一致している。
【００４４】
また、補強板３０における下部には、一方の面側に突出した突出部３６が一体に設けられている。突出部３６の下面は、補強板３０の下端面と面一となっている。また、補強板３０には、貫通孔として配線口３５が形成されている。
【００４５】
補強板３０は、図３（ａ）に示すように、筐体１０の端部開口もしくは横断面に対して平行な姿勢で筐体１０内に設けられ、筐体１０内の空間を長手方向に仕切る。
【００４６】
補強板３０の４縁部（辺部）のうち例えば３縁部（辺部）が、筐体１０および光源ユニット基板１４の内壁に当接する。例えば、補強板３０の下端部が筐体１０の底板部１１の内壁に当接し、補強板３０の上端部が筐体１０の光源ユニット基板１４の内壁に当接し、補強板３０の右端部が筐体１０の側板部１３の内壁に当接している。
【００４７】
補強板３０の突起３３は筐体１０の天板部１４に形成された溝１９に差し込まれ、補強板３０の突起３４は筐体１０の底板部１１に形成された溝１８に差し込まれ、補強板３０の突起３１は筐体１０の側板部１２に形成された溝１６に差し込まれ、補強板３０の突起３２は筐体１０の側板部１２に形成された溝１７に差し込まれる。これにより、補強板３０の筐体１０内における縦方向（図３（ａ）における上下方向）及び横方向（図３（ａ）における左右方向）の位置決めがなされる。
【００４８】
また、筐体１０の長手方向（図３（ａ）において紙面を貫く方向）に突出した突出部３６の下面が、底板部１１の内壁に当接する。これにより、特に薄い補強板３０に外部から力が加わっても、補強板３０が図３（ａ）において手前側に傾くことを抑制でき、補強板３０の安定した直立姿勢を維持することができる。ここで、補強板３０の直立姿勢とは、補強板３０が筐体１０の４つの内壁面に対して垂直であり、筐体１０の端部開口または横断面に対して平行である姿勢をいう。
【００４９】
なお、補強板３０における突出部３６が設けられた面の反対面側には、図２に示すように、電源ユニット７０が配置されている。補強板３０は、電源ユニット７０の配線基板７１の長手方向の端部に対して、接触もしくは近接している。このため、補強板３０の図２において後方側への傾きは、電源ユニット７０によって規制される。
【００５０】
光源ユニット６０のＬＥＤ基板６１の長手方向の端部は、筐体１０の端部開口付近に位置している。補強板３０は、筐体１０の端部開口より少し内方に入った位置に設けられ、電源ユニット７０と筐体１０の端部開口との間に設けられている。
【００５１】
したがって、筐体１０の端部開口から見て、電源ユニット７０が補強板３０によって遮蔽されている。このため、筐体１０の端部開口を通じた、電源ユニット７０における充電部等を含む回路部品７２への接触を防ぐことができ、感電あるいは回路部品７２の静電破壊を防止することができる。
【００５２】
筐体１０の肉厚を薄くしすぎると強度に影響する。そこで、本実施形態によれば、筐体１０の内部に補強板３０を設けて、筐体１０の強度を補っている。実施形態では、補強板３０の例えば３縁部が筐体１０の内壁および光源ユニット基板１４に当接している。これにより、押出成形体によって低コストを実現しつつ、筐体１０の強度を高めることができる。薄い筐体１０であっても、ねじれや押圧力に対する強さを付与することができ、照明器具１の小型化が図れる。
【００５３】
補強板３０は、４つの縁部のすべてが筐体１０および光源ユニット基板１４に当接してもよい。筐体１０における４つの板部（底板部１１、光源ユニット基板１４、側板部１２及び１３）のうち少なくとも対向する２つの板部の内壁に、補強板３０の縁部を当接させれば、筐体１０のつぶれを抑えて、筐体１０内空間を安定して保持することができる。
【００５４】
また、補強板３０に板バネ特性を持たせることで、その復元力を利用して、補強板３０の縁部を筐体１０の内壁に圧接させ、補強板３０を筐体１０に対して固定することができる。
【００５５】
光源ユニット６０は、電気配線８２によって、電源ユニット７０と電気的に接続されている。電源ユニット７０には、電気配線（電気ケーブル）８１が接続されている。その電気配線８１は、補強板３０に形成された配線口３５を通されて、補強板３０における一方の面側から、他方の面側に導出され、補強板３０の手前側の筐体１０の端部開口に導出される。
【００５６】
そして、端部カバー５０に形成された図示しない穴もしくは開口を通じて、電気配線８１は筐体１０の外部に導出され、外部の電源と接続される。また、複数の照明器具１を長手方向に連設した構成の場合には、筐体１０の外部に導出された電気配線８１は、隣接する照明器具１と接続される。
【００５７】
また、補強板３０に貫通穴として配線口３５を形成することに限らず、補強板３０の角を切り欠いて形成され配線口とした構造であってもよい。
【００５８】
電気配線８１は補強板３０によって筐体１０内での引き回し位置が制限され、補強板３０はケーブルガイドとしても機能する。このため、器具内電気配線を整理化でき、組み立て性の向上や雑音低減を図ることができる。
【００５９】
また、電気配線８１における配線口を通過する部分を、結束バンド等で配線口の内壁に対して固定させることで、電気配線８１が筐体１０内で引っ張られることによるコネクタからの抜け、断線を防止できる。
【００６０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６１】
１…照明器具、１０…筐体、１１…底板部、１２，１３…側板部、１４…光源ユニット基板、１５…凹部、３０…補強板、４０…透光部、５０…端部カバー、６０…光源ユニット、６１…ＬＥＤ基板、６２…発光素子、７０…電源ユニット、８１…電気配線
【図１】
2013197081.tif 000003
【図２】
2013197081.tif 000004
【図３】
2013197081.tif 000005